(57)【特許請求の範囲】
【請求項１】
移動局であって、
ＡＳ（Ａｃｃｅｓｓ  Ｓｔｒａｔｕｍ）機能部と、
ＮＡＳ（Ｎｏｎ  Ａｃｃｅｓｓ  Ｓｔｒａｔｕｍ）機能部とを具備しており、
前記ＡＳ機能部は、無線基地局から、ＮＡＳ用規制情報を受信し、所定タイミングで、前記ＮＡＳ機能部に対して、該ＮＡＳ用規制情報を送信するように構成されており、
前記ＮＡＳ機能部は、前記ＮＡＳ用規制情報を用いて、間欠受信状態の前記移動局が上り信号を送信するためのランダムアクセス手順におけるランダムアクセスプリアンブルの送信或いは連続受信状態の該移動局からの上り信号の送信に対して、アクセス制御処理を行うように構成されていることを特徴とする移動局。
【請求項２】
前記移動局が、連続受信状態から間欠受信状態に遷移する際に、前記ＡＳ機能部は、前記ＮＡＳ機能部に対して、前記ＮＡＳ用規制情報を送信するように構成されていることを特徴とする請求項１に記載の移動局。
【請求項３】
前記移動局が、間欠受信状態から連続受信状態に遷移する際に、前記ＡＳ機能部は、前記ＮＡＳ機能部に対して、前記ＮＡＳ用規制情報が無効であること示す情報を送信するように構成されていることを特徴とする請求項１に記載の移動局。
【請求項４】
前記ＡＳ機能部は、前記ＮＡＳ用規制情報が更新されたことを検知した際に、前記ＮＡＳ機能部に対して、更新された該ＮＡＳ用規制情報を送信するように構成されていることを特徴とする請求項１に記載の移動局。
【請求項５】
前記移動局が、連続受信状態に遷移する際に、前記ＡＳ機能部は、前記ＮＡＳ機能部に対して、前記ＮＡＳ用規制情報を送信するように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式の移動通信システムでは、ＡＣＢ（Ａｃｃｅｓｓ  Ｃｌａｓｓ  Ｂａｒｒｉｎｇ）のメカニズムを用いて、ＲＲＣ_ＩＤＬＥ状態（アイドル状態）の移動局ＵＥによって発信処理（位置登録処理を含む。以下、同様）に関する信号、例えば、位置登録処理用シグナリング（ＭＯ-ｓｉｇｎａｌｌｉｎｇ）やＵ-ｐｌａｎｅ発信処理用シグナリング（ＭＯ-ｄａｔａ）を送信するためのＲＡ（Ｒａｎｄｏｍ  Ａｃｃｅｓｓ）手順における「ＲＡ  Ｐｒｅａｍｂｌｅ」の送信を規制することができる。
【先行技術文献】
【非特許文献】
【０００３】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１３
【非特許文献４】３ＧＰＰ  ＴＳ３６.３２１
【非特許文献５】３ＧＰＰ  ＴＳ３６.３３１
【発明の概要】
【発明が解決しようとする課題】
【０００４】
しかしながら、従来のＬＴＥ方式の移動通信システムでは、ＲＲＣ_ＣＯＮＮＥＣＴＥＤ状態（接続状態）で且つＤＲＸ（Ｄｉｓｃｏｎｔｉｎｕｏｕｓ  Ｒｅｃｅｐｔｉｏｎ）状態（間欠受信状態）の移動局ＵＥによって「ＵＬ  ｄａｔａ  ａｒｒｉｖａｌ」を契機として行われるＲＡ手順における「ＲＡ  Ｐｒｅａｍｂｌｅ」の送信に対して、ＡＣＢを行うことができない、すなわち、かかる「ＲＡ  Ｐｒｅａｍｂｌｅ」の送信を規制することができない。
【０００５】
その結果、混雑時に、優先端末による発信処理や緊急呼の発信処理を行うためのＲＡ手順で送信される「ＲＡ  Ｐｒｅａｍｂｌｅ」が、上述の「ＲＡ  Ｐｒｅａｍｂｌｅ」に衝突し、かかるＲＡ手順が失敗したり、ＤＲＸ状態への復帰に伴うネットワークリソースの枯渇や処理輻輳により、かかる発信処理が遅延したり、かかる発信処理が失敗したりする可能性があるという問題点があった。
【０００６】
そこで、本発明は、上述の課題に鑑みてなされたものであり、混雑時においても、優先端末による発信処理や緊急呼の発信処理を成功させる確率を向上させることができる移動局を提供することを目的とする。
【課題を解決するための手段】
【０００７】
本発明の第１の特徴は、移動局であって、ＡＳ（Ａｃｃｅｓｓ  Ｓｔｒａｔｕｍ）機能部と、ＮＡＳ（Ｎｏｎ  Ａｃｃｅｓｓ  Ｓｔｒａｔｕｍ）機能部とを具備しており、前記ＡＳ機能部は、無線基地局から、ＮＡＳ用規制情報を受信し、所定タイミングで、前記ＮＡＳ機能部に対して、該ＮＡＳ用規制情報を送信するように構成されており、前記ＮＡＳ機能部は、前記ＮＡＳ用規制情報を用いて、間欠受信状態の前記移動局が上り信号を送信するためのランダムアクセス手順におけるランダムアクセスプリアンブルの送信或いは連続受信状態の該移動局からの上り信号の送信に対して、アクセス制御処理を行うように構成されていることを要旨とする。
【発明の効果】
【０００８】
以上説明したように、本発明によれば、混雑時においても、優先端末による発信処理や緊急呼の発信処理を成功させる確率を向上させることができる移動局を提供することができる。
【図面の簡単な説明】
【０００９】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのシーケンス図である。
【発明を実施するための形態】
【００１０】
（本発明の第１の実施形態に係る移動通信システム）
図１乃至図３を参照して、本発明の第１の実施形態に係る移動通信システムについて説明する。
【００１１】
本実施形態に係る移動通信システムは、ＬＴＥ方式をサポートするものであって、図１に示すように、無線基地局ｅＮＢと、移動局ＵＥとを具備している。
【００１２】
図２に示すように、本実施形態に係る移動局ＵＥは、ＡＳ機能部１１と、ＮＡＳ機能部１２とを具備している。
【００１３】
ＡＳ機能部１１は、ＡＳレイヤにおける処理を行うように構成されており、ＮＡＳ機能部１２は、ＡＳレイヤにおける処理を行うように構成されている。なお、ＮＡＳ機能部１２は、ＩＭＳアプリケーション処理レイヤを含んでいてもよい。
【００１４】
例えば、ＡＳ機能部１１は、無線基地局ｅＮＢから、ＳＳＡＣ（Ｓｅｒｖｉｃｅ  Ｓｐｅｃｉｆｉｃ  Ａｃｃｅｓｓ  Ｃｏｎｔｒｏｌ）情報を受信して記憶するように構成されている。
【００１５】
ここで、ＳＳＡＣ情報は、ＮＡＳ機能部１２によって行われるＳＳＡＣで用いられる規制情報（ＮＡＳ用規制情報）である。
【００１６】
なお、移動局ＵＥが、ＲＲＣ_ＣＯＮＮＥＣＴＥＤ状態である場合に、ＡＳ機能部１１は、報知情報、例えば、ＳＩＢ２（Ｓｙｓｔｅｍ  Ｉｎｆｏｒｍａｔｉｏｎ  Ｂｌｏｃｋ  ２）を介して、ＳＳＡＣ情報を受信するように構成されていてもよい。
【００１７】
また、ＡＳ機能部１１は、「Ｓｙｓｔｅｍ  Ｉｎｆｏ  Ｍｏｄｉｆｉｃａｔｉｏｎ」の受信に応じて、更新されたＳＳＡＣ情報を受信するように構成されていてもよい。
【００１８】
さらに、ＡＳ機能部１１は、所定タイミングで、ＮＡＳ機能部１２に対して、記憶している最新のＳＳＡＣ情報を送信するように構成されている。
【００１９】
ここで、移動局ＵＥが、Ｎｏｎ-ＤＲＸ（Ｎｏｎ-Ｄｉｓｃｏｎｔｉｎｕｏｕｓ  Ｒｅｃｅｐｔｉｏｎ）状態（連続受信状態）からＤＲＸ状態に遷移する際に、ＡＳ機能部１１は、ＮＡＳ機能部１２に対して、記憶しているＳＳＡＣ情報を送信するように構成されていてもよい。
【００２０】
或いは、ＡＳ機能部１１は、ＳＳＡＣ情報が更新されたことを検知した際に、ＮＡＳ機能部１２に対して、更新されたＳＳＡＣ情報を送信するように構成されていてもよい。
【００２１】
なお、移動局ＵＥが、ＤＲＸ状態からＮｏｎ-ＤＲＸ状態に遷移する際に、ＡＳ機能部１１は、ＮＡＳ機能部１２に対して、既に送信しているＳＳＡＣ情報が無効であること示す情報を送信するように構成されていてもよい。
【００２２】
また、移動局ＵＥが、Ｎｏｎ-ＤＲＸ状態に遷移する際に、ＡＳ機能部１１は、ＮＡＳ機能部１２に対して、ＳＳＡＣ情報を送信するように構成されていてもよい。
【００２３】
ここで、ＡＳ機能部１１は、ＡＣＢ情報（ＡＳ用規制情報）を用いて、発信処理に関連する信号の送信に対して、ＡＣＢ（アクセス制御処理）を行うように構成されている。
【００２４】
なお、ＡＳ機能部１１は、ＲＲＣ_ＣＯＮＮＥＣＴＥＤ状態で且つＤＲＸ状態の移動局ＵＥが上り信号を送信するためのＲＡ手順における「ＲＡ  Ｐｒｅａｍｂｌｅ」の送信に対して、ＡＣＢを行わないように構成されている。
【００２５】
ＮＡＳ機能部１２は、ＡＳ機能部１１から、ＳＳＡＣ情報を受信して記憶するように構成されている。
【００２６】
そして、ＮＡＳ機能部１２は、上位レイヤから発信処理を行うように指示されると、記憶している最新のＳＳＡＣ情報を用いて、発信処理に関連する信号の送信に対して、ＳＳＡＣ（アクセス制御処理）を行うように構成されている。
【００２７】
例えば、ＮＡＳ機能部１２は、記憶している最新のＳＳＡＣ情報を用いて、ＤＲＸ状態の移動局ＵＥが上り信号を送信するためのＲＡ手順における「ＲＡ  Ｐｒｅａｍｂｌｅ」の送信に対して、ＳＳＡＣ（アクセス制御処理）を行うように構成されている。
【００２８】
すなわち、ＮＡＳ機能部１２は、ＳＳＡＣのメカニズムを用いて、かかる「ＲＡ  Ｐｒｅａｍｂｌｅ」の送信を規制することができる。
【００２９】
なお、ＮＡＳ機能部１２は、かかる「ＲＡ  Ｐｒｅａｍｂｌｅ」の送信を許可する場合、ＡＳ機能部１１に対して、その旨を示す発信指示を送信し、ＡＳ機能部１１は、かかる発信指示に基づいて、かかる「ＲＡ  Ｐｒｅａｍｂｌｅ」を送信するように構成されている。
【００３０】
また、ＮＡＳ機能部１２は、ＡＳ機能部１１から、既に送信しているＳＳＡＣ情報が無効であること示す情報を受信した場合には、記憶しているＳＳＡＣ情報を用いて、発信処理に関連する信号の送信に対して、ＳＳＡＣを行うことができなくなる。
【００３１】
また、ＮＡＳ機能部１２は、Ｎｏｎ-ＤＲＸ状態の移動局ＵＥからの上り信号、例えば、ＳＩＰ（Ｓｅｓｓｉｏｎ  Ｉｎｉｔｉａｔｉｏｎ  Ｐｒｏｔｏｃｏｌ）信号の送信に対して、ＳＳＡＣを行うように構成されていてもよい。
【００３２】
以下、図３を参照して、本実施形態に係る移動局ＵＥの動作について説明する。
【００３３】
図３に示すように、ステップＳ１０１において、ＡＳ機能部１１は、無線基地局ｅＮＢから、ＳＩＢ２を介して、ＳＳＡＣ情報を受信して記憶する。
【００３４】
ここで、ＡＳ機能部１１は、ＳＳＡＣ情報が更新される度に、最新のＳＳＡＣ情報を取得する。
【００３５】
ＡＳ機能部１１は、ステップＳ１００２において、移動局ＵＥが、Ｎｏｎ-ＤＲＸ状態からＤＲＸ状態に遷移することを検出すると、ステップＳ１００３において、ＮＡＳ機能部１２に対して、記憶している最新のＳＳＡＣ情報を送信する。
【００３６】
なお、ＡＳ機能部１１は、ＳＳＡＣ情報が更新される度に、ＮＡＳ機能部１２に対して、最新のＳＳＡＣ情報を送信してもよい。
【００３７】
ＮＡＳ機能部１２は、上位レイヤから発信処理を行うように指示されると、記憶している最新のＳＳＡＣ情報を用いて、かかる発信処理に関連する信号の送信に対して、ＳＳＡＣを行う。
【００３８】
その後、ＡＳ機能部１１は、ステップＳ１０１１において、移動局ＵＥが、ＮＤＲＸ状態からＮｏｎ-ＤＲＸ状態に遷移することを検出すると、ステップＳ１０１２において、既に送信しているＳＳＡＣ情報が無効であること示す情報を送信する。
【００３９】
その結果、ＮＡＳ機能部１２は、上位レイヤから発信処理を行うように指示された場合であっても、記憶している最新のＳＳＡＣ情報を用いて、かかる発信処理に関連する信号の送信に対して、ＳＳＡＣを行わない。
【００４０】
本実施形態に係る発明によれば、ＡＳ機能部１１が、移動局ＵＥが、Ｎｏｎ-ＤＲＸ状態からＤＲＸ状態に遷移することを検出すると、ＡＳ機能部１２に対して、記憶している最新のＳＳＡＣ情報を送信し、ＮＡＳ機能１２が、かかるＳＳＡＣ情報を用いて、ＲＲＣ_ＣＯＮＮＥＣＴＥＤ状態で且つＤＲＸ状態の移動局ＵＥによって行われる発信処理のためのＲＡ手順における「ＲＡ  Ｐｒｅａｍｂｌｅ」の送信に対して、ＳＳＡＣを行うように構成されているため、ＲＲＣ_ＣＯＮＮＥＣＴＥＤ状態で且つＤＲＸ状態の移動局ＵＥによる発信処理が多発する場合であっても、優先端末による発信処理や緊急呼の発信処理を成功させる確率を向上させることができる。
【００４１】
以上に述べた本実施形態の特徴は、以下のように表現されていてもよい。
【００４２】
本実施形態の第１の特徴は、移動局ＵＥであって、ＡＳ機能部１１と、ＮＡＳ機能部１２とを具備しており、ＡＳ機能部１１は、無線基地局ｅＮＢから、ＳＳＡＣ情報（ＮＡＳ用規制情報）を受信し、所定タイミングで、ＮＡＳ機能部１２に対して、かかるＳＳＡＣ情報を送信するように構成されており、ＮＡＳ機能部１２は、かかるＮＡＳ用規制情報を用いて、ＤＲＸ状態（間欠受信状態）の移動局ＵＥが上り信号を送信するためのＲＡ手順（ランダムアクセス手順）における「ＲＡ  Ｐｒｅａｍｂｌｅ（ランダムアクセスプリアンブル）」の送信或いはＮｏｎ-ＤＲＸ状態（連続受信状態）の移動局ＵＥからの上り信号（例えば、ＳＩＰ信号）の送信に対して、ＳＳＡＣ（アクセス制御処理）を行うように構成されていることを要旨とする。
【００４３】
本実施形態の第１の特徴において、移動局ＵＥが、Ｎｏｎ-ＤＲＸ状態からＤＲＸ状態に遷移する際に、ＡＳ機能部１１は、ＮＡＳ機能部１２に対して、ＳＳＡＣ情報を送信するように構成されていてもよい。
【００４４】
本実施形態の第１の特徴において、移動局ＵＥが、ＤＲＸ状態からＮｏｎ-ＤＲＸ状態に遷移する際に、ＡＳ機能部１１は、ＮＡＳ機能部１２に対して、ＳＳＡＣ情報が無効であること示す情報を送信するように構成されていてもよい。
【００４５】
本実施形態の第１の特徴において、ＡＳ機能部１１は、ＳＳＡＣ情報が更新されたことを検知した際に、ＮＡＳ機能部１２に対して、更新されたＳＳＡＣ情報を送信するように構成されていてもよい。
【００４６】
本実施形態の第１の特徴において、移動局ＵＥが、Ｎｏｎ-ＤＲＸ状態に遷移する際に、ＡＳ機能部１１は、ＮＡＳ機能部１２に対して、ＳＳＡＣ情報を送信するように構成されていてもよい。
【００４７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５１】
ＵＥ…移動局
ｅＮＢ…無線基地局
１１…ＡＳ機能部
１２…ＮＡＳ機能部
【図１】
0005918011.tif 000002
【図２】
0005918011.tif 000003
【図３】
0005918011.tif 000004